(57)【要約】【課題】レンズ置台からレンズ鏡筒を外すことなく、ユーザがレンズ鏡筒内のレンズの状態や実際の使用状態を速やかに確認することができるレンズ置台を提供する。【解決手段】レンズ置台１００は、レンズ鏡筒１０を設置するのに用いられ、底部１３に立設すると共に、その幅方向に対して中央に円形の孔１１ａを有する後面板部１１と、底部１３に立設すると共に、その幅方向に対して中央に円弧型の切欠き部１２ａをその上部に有する前面板部１２とを備える。切欠き部１２ａを形成する円弧の中心１２ｃは孔１１ａの中心１１ｃより高い位置にある。前面板部１２は、鉛直方向に対して後面板部１１側に傾斜しており、且つ後面板部１１との間隔がレンズ鏡筒１０の全長より短い。【選択図】図１
2007240886.tif 000002
【特許請求の範囲】
【請求項１】
カメラ本体に着脱可能なレンズ鏡筒を設置するレンズ置台において、
前記レンズ置台は、底部と、前記底部に立設すると共に、その幅方向に対して中央に円形の孔を有する第１の板部と、前記底部に立設すると共に、その幅方向に対して中央に円弧型の切欠き部をその上部に有する第２の板部とを備え、
前記切欠き部を形成する円弧の中心は前記孔の中心より高い位置にあり、
前記第２の板部は、鉛直方向に対して前記第１の板部側に傾斜しており、且つ前記第１の板部との間隔が前記レンズ鏡筒の全長より短いことを特徴とするレンズ置台。
【請求項２】
前記第２の板部の一部又は全部が、前記第１の板部と略平行に立設することを特徴とする請求項１記載のレンズ置台。
【請求項３】
前記孔は、前記レンズ鏡筒の外周の最大半径より小さく、前記レンズ鏡筒に装着するレンズリアキャップの外周の最小半径より大きい半径を有することを特徴とする請求項１又は２記載のレンズ置台。
【請求項４】
前記切欠き部を構成する円弧は、前記孔の半径以上、前記レンズ鏡筒の最大半径以下であることを特徴とする請求項１乃至３のいずれか１項に記載のレンズ置台。
【発明の詳細な説明】
【技術分野】
【０００１】
本発明は、レンズ置台に関し、特に焦点距離２０〜１００ｍｍ程度の標準的なズームレンズを有するレンズ鏡筒を設置するレンズ置台に関する。
【背景技術】
【０００２】
従来、図３に示すように、焦点距離２０〜１００ｍｍ程度の標準的なズームレンズを有するレンズ鏡筒１０’をレンズ置台１００’に設置して小売店等で展示されている。通常、レンズ鏡筒１０’には、レンズフロントキャップ、レンズリアキャップが装着された状態で展示されることから、このレンズ置台１００’には、レンズ鏡筒１０’の外周の最大半径より小さく、レンズリアキャップの外周の最小半径より大きい半径を有する円形の孔１１ａ’が上部に設けられている。
【０００３】
具体的には、上記孔１１ａ’にそのマウント部が底部となるようにしてレンズ鏡筒１０’を差し込む。このように、標準的なズームレンズを有するレンズ鏡筒１０については、縦置きすることによりその内部のレンズが展示中に傷つくのを防止する。
【０００４】
また、焦点距離が４００〜６００ｍｍもある超望遠レンズ等を内部に備える大型のレンズ鏡筒の場合は、その全長が５００ｍｍ近くにもなることがあり、上述のような縦置きは不安定となるので好ましくない。一方、このような大型のレンズ鏡筒には、通常そのアクセサリとしてマウント部近傍の外周に取り付け可能な三脚が設けられている。
【０００５】
このため、大型のレンズ鏡筒を展示する際には、そのマウント部近傍の外周に上記三脚を取り付け、それと当時にその受光部の下に台を載置する。このように、大型のレンズ鏡筒については、横置きにすることによりその内部のレンズが展示中に傷つくのを防止する。
【０００６】
一方、上記標準的なズームレンズを有するレンズ鏡筒の全長は通常６０ｍｍ未満であるので、縦置きでも設置時に不安定となることはない。また、質量が５０００ｇ前後にもなる大型のレンズ鏡筒と違い、標準的なズームレンズを有するレンズ鏡筒の質量は５００ｇ程度と軽量であり、ユーザはレンズ鏡筒を撮影時に手で支えることができる。従って、標準的なズームレンズを有するレンズ鏡筒には、そのマウント部近傍の外周に取り付けられる三脚がアクセサリとして設けられることはない。このような事情により、標準的なズームレンズを有するレンズ鏡筒は通常、横置きで展示されることはなかった。
【発明の開示】
【発明が解決しようとする課題】
【０００７】
しかし、実際にカメラ本体に装着されたときにはレンズ鏡筒は横置きで使用される。このため、上述のように縦置き状態で展示されると、実際の使用状態を感覚的につかむことが困難である。また、上記展示された状態では、ユーザはレンズ鏡筒内にあるレンズの状態を確認することができない。
【０００８】
従って、ユーザは、展示中のレンズ鏡筒をレンズ置台から外し、横置きにして実際の使用状態を確認したり、その受光部を自分側に向けて内部のレンズの状態を確認したりする必要があり、不便であった。
【０００９】
本発明の目的は、レンズ置台からレンズ鏡筒を外すことなく、ユーザがレンズ鏡筒内のレンズの状態や実際の使用状態を速やかに確認することができるレンズ置台を提供することにある。
【課題を解決するための手段】
【００１０】
上記目的を達成するために、請求項１記載のレンズ置台は、カメラ本体に着脱可能なレンズ鏡筒を設置するレンズ置台において、前記レンズ置台は、底部と、前記底部に立設すると共に、その幅方向に対して中央に円形の孔を有する第１の板部と、前記底部に立設すると共に、その幅方向に対して中央に円弧型の切欠き部をその上部に有する第２の板部とを備え、前記切欠き部を形成する円弧の中心は前記孔の中心より高い位置にあり、前記第２の板部は、鉛直方向に対して前記第１の板部側に傾斜しており、且つ前記第１の板部との間隔が前記レンズ鏡筒の全長より短いことを特徴とする。
【発明の効果】
【００１１】
本発明によれば、レンズ置台からレンズ鏡筒を外すことなく、ユーザがレンズ鏡筒内のレンズの状態や実際の使用状態を速やかに確認することができる。
【発明を実施するための最良の形態】
【００１２】
以下、本発明の実施の形態を図面を用いて詳述する。
【００１３】
図１は、本発明の実施の形態に係るレンズ置台を概略的に示す図であり、（ａ）は背面図、（ｂ）は斜視図、（ｃ）は（ａ）の線ｃ−ｃに沿う断面図である。
【００１４】
図１において、レンズ置台１００は、焦点距離８５ｍｍのズームレンズを有する後述する図２のレンズ鏡筒１０（不図示）を設置するのに用いられ、無色透明なアクリルから成る。具体的には、レンズ置台１００は、図１（ｂ）に示すように、底部１３に立設すると共に、幅方向に対して中央に円形の孔１１ａを有する後面板部１１を備える。また、レンズ置台１００は、底部１３に後面板部１１と平行に立設すると共に、幅方向に対して中央に円弧型の切欠き部１２ａをその上部に有する前面板部１２とを備える。さらに、レンズ置台１００は、図１（ｂ）に示すように、前面板部１２を手前にしたときのその左側面に後面板部１１、前面板部１２及び底部１３と辺で接する側面板部１４を有する。
【００１５】
切欠き部１２ａを形成する円弧の中心１２ｃは、図１（ａ）に示すように、孔１１ａの中心１１ｃより高い位置にある。また、前面板部１２は、鉛直方向に対して後面板部１１側に斜め１６．２度（θ１）だけ傾斜している。これにより、後述する図２に示すようにレンズ鏡筒１０を確実に斜め置きすることができる。
【００１６】
また、前面板部１２は、後面板部１１との間隔（５４ｍｍ）がレンズ鏡筒１０の全長（６６ｍｍ）より短くその半分（３３ｍｍ）の長さより長い。これにより、孔１１ａと切欠き部１２ａとでレンズ鏡筒１０を確実に保持することができる。
【００１７】
孔１１ａは、レンズ鏡筒１０に装着するレンズリアキャップの外周の最小半径（２８ｍｍ）より大きく、レンズ鏡筒１０の外周の最大半径（３５．５ｍｍ）より小さい半径（３０ｍｍ）を有する。レンズ鏡筒１０は、一般的にマウント部近辺より受光部近辺の方が外周の半径が大きくなるので、上記構成とすることにより、レンズ鏡筒１０をマウント部側から通すと、レンズ鏡筒１０が孔１１ａから外れることなく確実に保持することができる。
【００１８】
切欠き部１２ａを構成する円弧は、レンズ鏡筒１０の外周の最大半径（３５．５ｍｍ）と等しい。レンズ鏡筒１０は、受光部近辺の外周の半径が最大半径となるので、上記構成とすることにより、レンズ鏡筒１０のを受光部近辺の外周を切欠き部１２ａで確実に保持することができる。
【００１９】
さらには、レンズ鏡筒１０がレンズ置台１００に設置されたときに、その受光部近辺の外周に切欠き部１１ａが接するように前面板部１２と後面板部１１の間隔を設定するのが好ましい。これにより、切欠き部１１ａを構成する円弧の半径と、上記接する部分の外周の半径が一致し、より確実にレンズ鏡筒１０を保持することができる。
【００２０】
尚、レンズ鏡筒１０を切欠き部１２ａで保持できれば本実施の形態に限定されることはない。具体的には、孔１１ａの半径以上、レンズ鏡筒１０の最大半径以下で、切欠き部１１ａを構成する円弧がこれに接するレンズ鏡筒１０の外周の半径とほぼ一致するように前面板部１２と後面板部１１の間隔が設定されていればよい。
【００２１】
上記構成を有するレンズ置台１００に対して、レンズ鏡筒１０は以下の方法により、図２のように設置される。
【００２２】
まず、ユーザは、前面板部１２側を手前にしてレンズ置台１００を置き、レンズ鏡筒１０のマウント部１０ａを、奥側にある後面板部１１の円形の孔１１ａの中に差し込む。
【００２３】
その後、ユーザは、レンズ鏡筒１０の受光部１０ｂ近辺の外周を支持しながら、孔１１ａにマウント部１０ａを差し込んだまま、レンズ鏡筒１０の受光部１０ｂを下に移動させ、その外周が切欠き部１２ａに接した時点で設置が終了する。
【００２４】
このとき、レンズ鏡筒１０は、孔１１ａの上部でマウント部１０ａ近辺の外周（若しくはレンズリアキャップの外周）が、切欠き部１２ａ全体で受光部１０ｂ近辺の外周が支持される。このため、レンズ鏡筒１０は、図２に示すように受光部１０ｂが上、マウント部１０ａが下となるように水平方向に対して１４度の角度（θ２）をつけてレンズ置台１００に設置される。
【００２５】
このように、レンズ鏡筒１０は横置きに近い状態でレンズ置台１００に設置されるので、ユーザはレンズ置台１００からレンズ鏡筒１０を外すことなく、レンズ鏡筒１０が実際にカメラ本体に装着された場合の使用状態を速やかに確認することができる。
【００２６】
また、レンズ鏡筒１０はレンズ置台１００に受光部１０ｂ側が少し上向きとなるように設置されるので、ユーザはレンズ置台１００からレンズ鏡筒１０を外すことなく、レンズ鏡筒１０内のレンズの状態を確認することができる。
【００２７】
後面板部１１は、上述のように前面板部１２と平行な部分をその上部に有するが、底部１３と接する下部は上部と逆の方向に鉛直方向に対して斜め１３度の角度で折れ曲がっており、凹部を形成する。これにより、ユーザはその凹部に手を添えることにより、レンズ置台１００を容易に持ち運ぶことができる。
【００２８】
また、不図示のゴムを切欠き部１２ａの表面に装着するようにしてもよい。これにより、レンズ鏡筒１０の受光部１０ｂ側の外周が切欠き部１２ａで保持されることにより傷つくのを防止することができる。
【図面の簡単な説明】
【００２９】
【図１】本発明の実施の形態に係るレンズ置台を概略的に示す図であり、（ａ）は背面図、（ｂ）は斜視図、（ｃ）は（ａ）の線ｃ−ｃに沿う断面図である。
【図２】図１のレンズ置台にレンズ鏡筒を設置した状態を示す図である。
【図３】従来の標準的なズームレンズを有するレンズ鏡筒が設置されるレンズ置台を示す図である。
【符号の説明】
【００３０】
１００  レンズ置台
１０  レンズ鏡筒
１１ａ  孔
１１  後面板部
１２ａ  切欠き部
１２  前面板部
１３  底部
１４  側面板部
【図１】
2007240886.tif 000003
【図２】
2007240886.tif 000004
【図３】
2007240886.tif 000005